(57)【要約】【課題】車両に搭載されるＤＶＤ再生装置、車載カメラ等の装置から入力されたパラレルデータを送信装置から、液晶モニタ、スピーカ等の装置へパラレルデータを出力する受信装置へ送信する際に、長距離通信及び高速通信を実現する受信装置及び通信システムを提供する。【解決手段】送信装置２０から送信された信号波を受信した受信装置３０において、受信した信号波の中の高周波成分の振幅を大きくする。【選択図】図２
2007143055.tif 000002
【特許請求の範囲】
【請求項１】
送信された信号波を受信する受信装置において、
受信した信号波の中で、所定値以上の周波数である高周波成分の振幅を増幅する手段を備えることを特徴とする受信装置。
【請求項２】
送信された信号波を受信する受信装置において、
受信した信号波を周波数帯域毎に分離する手段と、
分離した周波数帯域の中で、所定値以上の高周波帯域の成分の振幅を増幅する手段と、
振幅を増幅した高周波帯域の成分を含む、分離した各周波数帯域の成分を合成する手段と
を備えることを特徴とする受信装置。
【請求項３】
送信装置から受信装置へ信号波を伝送する通信システムにおいて、
信号波を送信する送信装置と、
該送信装置から送信された信号波を受信する請求項１又は請求項２に記載の受信装置と
を備えることを特徴とする通信システム。
【請求項４】
前記送信装置及び前記受信装置は、車載装置であることを特徴とする請求項３に記載の通信システム。
【発明の詳細な説明】
【技術分野】
【０００１】
本発明は、送信された信号波を受信する受信装置、及び該受信装置を備える通信システムに関し、特に長距離通信及び高速通信に有効な受信装置及び通信システムに関する。
【背景技術】
【０００２】
近年、車両に搭載されるナビゲーション装置、オーディオビジュアル装置等の各種車載装置が増加の一途を辿っており、これらの各種装置を伝送線で接続する様々な通信システムが提案され、また実用化されている（例えば、特許文献１参照。）。
【特許文献１】特開２００２−１５２２４４号公報
【発明の開示】
【発明が解決しようとする課題】
【０００３】
しかしながら送信装置から受信装置へ信号波を伝送する時、伝送される信号波の信号強度、特に高周波成分の信号強度が伝送線の表皮効果及び抵抗成分により距離に応じて減衰するため長距離の伝送は困難であるという問題がある。さらに高周波成分の減衰が大きい場合、高周波数化することで単位時間当たりに伝送する情報を高密度化する高速な通信が困難であるという問題が生じる。なお高周波成分の減衰を補うため、送信する信号波の高周波成分を強調して送信するプリエンファシス処理を行う送信装置もあるが、この場合、受信装置側での受信状態を送信装置へ何らかの方法で通知しなければ、送信装置にて最適なプリエンファシス強度を設定することができないという問題がある。
【０００４】
本発明は斯かる事情に鑑みてなされたものであり、受信装置側で高周波成分の振幅を大きくすることにより、受信装置から送信装置へ受信状況を通知することなく高周波成分の減衰を補償することができ、長距離通信及び高速通信を実現することが可能な受信装置、及び該受信装置を備える通信システムの提供を目的とする。
【課題を解決するための手段】
【０００５】
第１発明に係る受信装置は、送信された信号波を受信する受信装置において、受信した信号波の中で、所定値以上の周波数である高周波成分の振幅を増幅する手段を備えることを特徴とする。
【０００６】
第２発明に係る受信装置は、送信された信号波を受信する受信装置において、受信した信号波を周波数帯域毎に分離する手段と、分離した周波数帯域の中で、所定値以上の高周波帯域の成分の振幅を増幅する手段と、振幅を増幅した高周波帯域の成分を含む、分離した各周波数帯域の成分を合成する手段とを備えることを特徴とする。
【０００７】
第３発明に係る通信システムは、送信装置から受信装置へ信号波を伝送する通信システムにおいて、信号波を送信する送信装置と、該送信装置から送信された信号波を受信する第１発明又は第２発明に記載の受信装置とを備えることを特徴とする。
【０００８】
第４発明に係る通信システムは、第３発明において、前記送信装置及び前記受信装置は、車載装置であることを特徴とする。
【０００９】
本発明では、受信装置が受信した信号波の高周波成分の振幅を大きくすることにより、表皮効果による伝送中の高周波成分の減衰を補うことができるので、長距離の伝送が可能となり、更には、高周波数化により情報の高密度化を要する高速な通信を実現することが可能である。しかも受信状況を受信装置から送信装置へ通知することなく、受信装置のみの処理で振幅の強調度合を決定することが可能である。
【発明の効果】
【００１０】
本発明に係る受信装置及び通信システムは、例えば車載システムに適用され、送信装置から送信された信号波を受信した受信装置において、受信した信号波の中の高周波成分の振幅を大きくすることにより、表皮効果及び抵抗成分による伝送中の高周波成分の減衰を補うことができるので、長距離の伝送が可能となり、更には、高周波数化により情報の高密度化を要する高速な通信を実現することが可能となる等、優れた効果を奏する。しかも受信状況を受信装置から送信装置へ通知することなく、受信装置のみの処理で振幅の強調度合を決定することが可能である等、優れた効果を奏する。
【発明を実施するための最良の形態】
【００１１】
以下、本発明をその実施の形態を示す図面に基づいて詳述する。図１は、本発明の通信システムの構成例を示すブロック図である。図１中１は、自動車等の車両であり、車両１には、ＤＶＤ再生装置、車載カメラ等の装置にて生成された画像信号、音声信号、制御信号等の各種信号を出力する第１処理装置１０が配設されており、第１処理装置１０には、第１処理装置１０から出力された各種信号を送信する送信装置２０が接続されている。送信装置２０には、１組の差動より対線を１本の線として用いた伝送線２の一端が接続され、伝送線２の他端には、送信装置２０から伝送線２を介して送信される各種信号を受信する受信装置３０が接続されている。受信装置３０には、各種信号に基づく画像の表示、音声の出力等の出力処理を行う液晶ディスプレイ、スピーカ等の第２処理装置４０が接続されている。
【００１２】
第１処理装置１０は、画像を形成する色成分信号、音声信号、制御信号等の複数ビットの２値信号をパラレルデータとして送信装置２０へ出力する。送信装置２０は、受信したパラレルデータを２値のシリアルデータに変換して受信装置３０へ伝送線２を介して送信する。受信装置３０は、受信したシリアルデータをパラレルデータに変換して第２処理装置４０へ出力する。
【００１３】
なお第１処理装置１０及び送信装置２０は、一つの筐体内に組み込まれる様に形成しても、また異なる筐体として形成する様にしても良い。受信装置３０及び第２処理装置４０も同様である。
【００１４】
さらに伝送線２としては、差動より対線に限らず、同軸ケーブル、光ケーブル等の様々な伝送線を用いることが可能である。
【００１５】
図２は、本発明の通信システムにて用いられる各種装置の構成例を示すブロック図である。第１処理装置１０は、画像を構成するＲ（Ｒｅｄ）成分、Ｇ（Ｇｒｅｅｎ）成分及びＢ（Ｂｌｕｅ）成分の各色成分信号、音声信号、制御信号等の複数のチャネルの信号を夫々送信装置１０へ出力する出力インタフェース（出力Ｉ／Ｆ）１１を備えている。
【００１６】
送信装置２０は、第１処理装置１０から出力された複数チャネルの信号の入力を受け付ける入力インタフェース（入力Ｉ／Ｆ）２１を備え、入力インタフェース２１から入力を受け付けた信号は、多重化回路２２へ出力される。
【００１７】
多重化回路２２では、入力を受け付けた複数チャネルの信号を保持し、多重化されたパラレルデータとして、図示しないクロック発振回路から出力されるクロック信号に基づいて、８Ｂ／１０Ｂ変換回路２３へ出力する。
【００１８】
８Ｂ／１０Ｂ変換回路２３では、パラレルデータとして入力を受け付けた信号に対し、一定数以上同じ値が連続することを防止する８Ｂ／１０Ｂ変換を行い、８Ｂ／１０Ｂ変換を行ったパラレルデータをパラレル／シリアル変換回路２４へ出力する。なお同じ値が連続することを防止し、直流成分を除去する方法で有れば、他の変換方法を用いてもよい。
【００１９】
パラレル／シリアル変換回路２４では、パラレルデータとして受け付けた各チャネルの信号を所定の順序で配列したシリアルデータに変換し、シリアルデータとして送信インタフェース２５へ出力する。
【００２０】
送信インタフェース２５では、受け付けたシリアルデータを信号波として、伝送線２を介して受信装置３０へ送信する。
【００２１】
受信装置３０は、伝送線２を介して送信装置２０から送信される信号波を受信する受信インタフェース（受信Ｉ／Ｆ）３１を備え、受信インタフェース３１は、受信した信号波をイコライザ３２へ出力する。
【００２２】
イコライザ３２では、入力を受け付けた信号波の中で、所定値以上の周波数である高周波成分の振幅を大きくし、高周波成分の振幅を大きくした信号波であるシリアルデータをシリアル／パラレル変換回路３３へ出力する。
【００２３】
シリアル／パラレル変換回路３３では、シリアルデータとして受け付けた信号をパラレルデータに変換し、パラレルデータに変換した信号を１０Ｂ／８Ｂ変換回路３４へ出力する。
【００２４】
１０Ｂ／８Ｂ変換回路３４では、入力を受け付けたパラレルデータを１０Ｂ／８Ｂ変換することにより、８Ｂ／１０Ｂ変換により変換されたデータを元に戻し、１０Ｂ／８Ｂ変換したパラレルデータを分離回路３５へ出力する。
【００２５】
分離回路３５では、パラレルデータとして受け付けた各信号を、画像を構成する各色成分信号、音声信号、制御信号等の複数のチャネル信号として出力インタフェース（出力Ｉ／Ｆ）３６へ出力する。
【００２６】
出力インタフェース３６では、入力を受け付けた複数チャネルの信号を第２処理装置４０へ出力する。
【００２７】
第２処理装置４０では、複数チャネルの信号の入力を受け付ける入力インタフェース（入力Ｉ／Ｆ）４１を備え、入力インタフェース４１にて受け付けた複数チャネルの信号に基づいて、画像表示、音声出力、各種制御等の処理を実行する。
【００２８】
図３は、本発明の受信装置３０が備えるイコライザ３２の構成例を概念的に示すブロック図である。イコライザ３２では、入力を受け付けた信号波を予め設定されている所定の周波数帯域毎に分離する分離回路３２１と、分離回路３２１にて分離された各周波数帯域Ｆ１〜Ｆ５の中で、図３中ではＦ１と示された高周波数帯域の信号波成分に対し、振幅を強調する増幅回路３２２と、各周波数帯域の信号波成分、即ち振幅を強調した周波数帯域Ｆ１の信号成分及び周波数帯域Ｆ２〜周波数帯域Ｆ３の信号成分を合成する合成回路３２３とを備えている。なおどの周波数帯域までを、振幅を強調すべき高周波数帯域とするかは伝送線２の伝送特性等の要因に応じて任意に設定することが可能である。
【００２９】
図４は、本発明の受信装置３０が備えるイコライザ３２による高周波成分の強調前後の信号波の波形の一例を示すアイパターンである。図４（ａ）は、横軸に時間をとり、縦軸に電圧値をとって、イコライザ３２による高周波成分の強調前の信号波の波形をアイパターンとして示している。また図４（ｂ）は、横軸に時間をとり、縦軸に電圧値をとってイコライザ３２による高周波成分の強調後の信号波の波形をアイパターンとして示している。図４（ａ）に示す様に受信した信号波の波形は、高周波成分が減衰しているためアイ開口が不明瞭になっている。図４（ｂ）に示す様に高周波成分を強調した後の信号波の波形は、高周波成分を強調したことにより、はっきりとしたアイパターンを形成しており、アイ開口が明確に開いている。
【００３０】
前記実施の形態では、送信装置から受信装置へ信号を送信する形態を示したが、本発明はこれに限らず、双方の装置に夫々送信装置及び受信装置の回路を組み込んだ通信装置を実現し、双方向通信を実現する形態であっても良い。
【００３１】
また前記実施の形態では、車載装置に適用する形態を示したが、本発明はこれに限らず、ホームネットワーク等の様々な通信システムに適用することが可能である。そしてカーナビゲーション装置に限らず、ＤＶＤ再生装置、テレビジョン受像機、オーディオ機器等の様々な装置に適用することが可能である。
【図面の簡単な説明】
【００３２】
【図１】本発明の通信システムの構成例を示すブロック図である。
【図２】本発明の通信システムにて用いられる各種装置の構成例を示すブロック図である。
【図３】本発明の受信装置が備えるイコライザの構成例を概念的に示すブロック図である。
【図４】本発明の受信装置が備えるイコライザによる高周波成分の強調前後の信号波の波形の一例を示すアイパターンである。
【符号の説明】
【００３３】
１  車両
２  伝送線
１０  第１処理装置
２０  送信装置
３０  受信装置
３２  イコライザ
３２１  分離回路
３２２  増幅回路
３２３  合成回路
４０  第２処理装置
【図１】
2007143055.tif 000003
【図２】
2007143055.tif 000004
【図３】
2007143055.tif 000005
【図４】
2007143055.tif 000006